(57)【特許請求の範囲】
【請求項１】
床上に配置される便器本体の前部両側に、前記便器本体の上面の便座に座った利用者の踵を乗せるための踵乗せ部が形成され、前記踵乗せ部を、前記便器本体の左右の前方に向けてそれぞれ突出させることを特徴とする可搬便器装置。
【請求項２】
前記便器本体が、前記床上に配置する台座と、汚物受けを有する便器外郭を備え、前記便器外郭の下部中央部が前記台座に中央連結部で接続され、前記台座の前部に前方に向けて前記踵乗せ部が突設されたことを特徴とする請求項１記載の可搬便器装置。
【請求項３】
前記踵乗せ部の上面が前下がりの傾斜面となっていることを特徴とする請求項１又は請求項２記載の可搬便器装置。
【発明の詳細な説明】
【技術分野】
【０００１】
本発明は、老人、身体障害者、病人等が室内で用を足すために用いられる可搬便器装置に関するものである。
【背景技術】
【０００２】
従来から、老人、身体障害者、病人等が室内で用を足すために用いられる介護用の便器として、設置位置を容易に変更できる可搬便器装置が利用されている。
【０００３】
この種の可搬便器装置は、いずれも便器本体の上面の便座に座った利用者は、両脚の足底を床面に置いた状態で用を足すようになっている。
【０００４】
したがって、従来の可搬便器装置は、床上に設置する便器本体の形状を、利用者が便座に座った状態で利用者の両足底を床面に置くのに邪魔にならないような形状にしている。
【０００５】
このような例として特許文献１が知られている。特許文献１に示された従来例は、便器本体の前部の左右両側に脚収納凹所を上下方向にわたって形成し、便座に座った利用者の左右両脚を前部の左右両側の脚収納凹所に配置し、両脚の足底を便器本体が設置されている床面に置くようにしている。
【先行技術文献】
【特許文献】
【０００６】
【特許文献１】特開２０００−４１８９３号公報
【発明の概要】
【発明が解決しようとする課題】
【０００７】
ところで、可搬便器装置を利用する利用者は、健康な一般の人に比べて運動量が少なく、且つ動作も緩慢となるので、結腸への刺激が減少し、便意が生じにくくなる。
【０００８】
したがって、従来の可搬便器装置においては、利用者が便器本体の便座に座っても、なかなか便意が生じにくく、排便に至るまでに時間がかかり、利用者や介助者にとって負担となっている。
【０００９】
本発明は、上記の従来の問題点に鑑みて発明したもので、その目的とするところは、利用者の便意を促進させることが可能な可搬便器装置を提供するにある。
【課題を解決するための手段】
【００１０】
本発明の可搬便器装置は、床上に配置される便器本体の前部両側に、前記便器本体の上面の便座に座った利用者の踵を乗せるための踵乗せ部が形成され、前記踵乗せ部を、前記便器本体の左右の前方に向けてそれぞれ突出させることを特徴とする。
【００１１】
また、前記便器本体が、前記床上に配置する台座と、汚物受けを有する便器外郭を備え、前記便器外郭の下部中央部が前記台座に中央連結部で接続され、前記台座の前部に前方に向けて前記踵乗せ部が突設されることが好ましい。
【００１２】
また、前記踵乗せ部の上面が前下がりの傾斜面となっていることが好ましい。
【発明の効果】
【００１３】
本発明は、便器本体の前部両側に踵乗せ部が形成されているので、利用者は、踵乗せ部に踵を乗せることで、脚の筋肉の刺激を介して腹筋等を刺激し、これらの身体刺激により結腸が刺激され、便意が促進される。これにより排便に至るまでの時間を短くすることが可能となり、利用者や介助者にとって負担軽減が図れる。さらに、左右の前方に向けてそれぞれ突出する両踵乗せ部間に凹部が形成されるため、利用者が便座に座る際、あるいは便座から降りる際、あるいは介助者が介助する際に、踵乗せ部に邪魔されることなく、前記動作ができる。
【図面の簡単な説明】
【００１４】
【図１】本発明の可搬便器装置の一実施形態の斜視図である。
【図２】同上の便蓋を閉じた状態の斜視図である。
【図３】同上の断面図である。
【図４】本発明の他の実施形態の斜視図である。
【図５】本発明の他の実施形態の斜視図である。
【発明を実施するための形態】
【００１５】
以下、本発明を添付図面に示す実施形態に基づいて説明する。
【００１６】
可搬便器装置１１は、床１上に配置される便器本体２の前部の左右両側の下端部に、この便器本体２の上面の便座３に座った利用者の踵４を乗せるための踵乗せ部５を形成して構成される。
【００１７】
図１乃至図３には、可搬便器装置１１の主体を構成する便器本体２の一実施形態を示している。
【００１８】
本実施形態において便器本体２は、床１上に配置される台座６と、台座６単独で支持される便器外郭８と、便器外郭８の後端部に左右軸回りに回動自在に連結される、便座３及び便蓋１２と、便器外郭８の内側に設けられる汚物受け７を備えている。便蓋１２は図の実施形態では折り畳み自在となっている。なお、前記「左右軸回り」とは、回転軸方向が左右方向と平行であることを意味する。
【００１９】
便器本体２は、更に便器外郭８の後端部上に立設される背もたれ１４と、便器外郭８の左右両側端部に立設される高さ調節可能な肘掛け１３を備え、椅子型の便器となっている。また、便器本体２は、トイレットロール１５を回転自在に支持するための、ペーパーホルダー１６もしくはペーパーハンガー１７を備えており、これらペーパーホルダー１６もしくはペーパーハンガー１７は便器外郭８に着脱自在に取り付けられている。また、便器本体２は、各構成部品をポリプロピレン等の合成樹脂を用いて形成することで軽量化を図っており、容易に移動できるようになっている。
【００２０】
便器外郭８には図３に示すように内部に上面が上開口１８となった収納空所２０が設けられる。また、便器外郭８の下部中央部には円筒状の接続筒部１９が下方に向けて垂設され、円筒状の接続筒部１９の上部は収納空所２０と連通している。この収納空所２０と接続筒部１９の内部とで汚物受け収納部２１が構成され、上開口１８から汚物受け収納部２１内に後述の汚物受け７が出し入れ自在に収納されるようになっている。
【００２１】
汚物受け７は、屎尿を受ける便容器２２と、便容器２２が収納される防汚容器２３とで構成された二重容器からなる。便容器２２は非使用時に容器蓋２４で上開口を閉塞され、容器蓋２４は用便時に便容器２２から取り外される。
【００２２】
防汚容器２３の上縁部には外方に突出したフランジ２５が周方向の全長に亘って形成され、防汚容器２３を上開口１８から汚物受け収納部２１内に出し入れ自在に挿入された状態でフランジ２５が上開口１８の周囲の上面縁部に載置される。この収納状態で、防汚容器２３の下部が便器外郭８の接続筒部１９内に配置される。
【００２３】
便容器２２の上縁部には外方に突出したフランジ部２６が周方向の全長に亘って形成されている。便容器２２は防汚容器２３内に上方から出し入れ可能に挿入されている。便容器２２は、フランジ部２６を防汚容器２３のフランジ２５の内周部上に載置することで、防汚容器２３に懸架され、便容器２２の上部が収納空所２０に配置されると共に下部が接続筒部１９内に配置されている。便容器２２の上端部には便容器２２の左右両端部間に跨る吊手が左右軸回りに回動自在に取り付けられていて、吊手を把持することで防汚容器２３から便容器２２を容易に出し入れできる。
【００２４】
台座６は、上方に開口する台座筒部２８を設けている。この台座筒部２８に接続筒部１９が上下方向に移動自在に嵌め込み接続され、この台座筒部２８と接続筒部１９で便器外郭８の下部中央部と台座６を接続する中央連結部９が構成される。中央連結部９には高さ調整機構２９が備えられ、高さ調整機構２９により接続筒部１９が台座筒部２８に対して上下方向の任意の位置に高さ調整して接続される。
【００２５】
高さ調整機構２９としては特に限定はなく、従来から知られている高さ調整手段を採用できるので、詳細な説明は省略する。
【００２６】
台座６の下部には、床面への設置を安定させるため接地部２７が台座筒部２８の下部から外側に向けて突出形成され、便器外郭８を台座６によりバランス良く支持することができるように構成されている。
【００２７】
前記外側に突出する接地部２７のうち、台座筒部２８の前部においては、前部の左右両側の下端部から前方に接地部２７が突出形成されている。
【００２８】
このように、台座筒部２８の前部の左右両側から前方に接地部２７を突出することで、該左右の接地部２７が、台座６の前部に前方に向けて突出する左右の踵乗せ部５を構成することになる。
【００２９】
この左右の踵乗せ部５の上面は、前に行く程下り傾斜した傾斜面１０として形成される。
【００３０】
台座筒部２８の下部の左右両側及び後部から突出した接地部２７のうち、後部から突出した接地部２７には容器蓋２４を取り外した際に、保持するための容器蓋受け部３０を備えている。
【００３１】
上記の構成の可搬便器装置１１を利用するには、容器蓋２４を外して容器蓋受け部３０に保持した状態で、便座３に座る。
【００３２】
この場合、便座３に座った利用者は、図３に示すように、両脚の足裏の踵４を便器本体２の前部両側に設けた踵乗せ部５に乗せる。図３において符号Ｍは利用者を示す。
【００３３】
ここで、踵乗せ部５に踵４を乗せることで、床１上に設置したつま先部分に対して踵４が自然と持ち上げられた状態となり、足の甲と脛とのなす角度が足裏全体を床１上に載置する場合に比べて大きくなる。このようにつま先部分を床１上に設置した状態で踵４部分が持ち上げられ、足の甲と脛とのなす角度が足裏全体を床１上に載置する場合に比べて大きくなることで、脚の筋肉が伸縮刺激され、この脚の筋肉の伸縮刺激を介して腹筋等が刺激され、これらの身体刺激により結腸が刺激され、便意が促進されることになる。
【００３４】
したがって健康な一般の人に比べ運動量が少なく、動作が緩慢で、結腸への刺激が少ない老人、身体障害者、病人等の利用者の利用に当り、便座３に座った姿勢のまま両足を踵乗せ部５に乗せるだけで、容易に便意が促進され、用便時間が短縮されることになる。
【００３５】
また、踵乗せ部５の上面が前下がりの傾斜面１０として形成してあると、つま先部分を床１面に接地した状態で踵４を踵乗せ部５に載せた状態で、足がつま先側ほど下となるように下り傾斜して支持され、無理なく自然と踵４が持ち上げられた姿勢にできる。
【００３６】
これにより無理なく踵４が持ち上げられ、足の甲と脛とのなす角度が足裏全体を床１上に載置する場合に比べて無理なく大きくなり、無理なく脚の伸縮刺激を介して腹筋等が刺激されて結腸を刺激できる。
【００３７】
用便が終了すると、便容器２２は、取り出されて内部の屎尿の処分がなされると共に、清掃がなされた後、再び防汚容器２３内に収納される。また、防汚容器２３は必要に応じて取り外されて清掃がなされる。
【００３８】
利用しないときは便容器２２に容器蓋２４が被せられ、また、便座３が倒され、更に図２に示されるように、便蓋１２が倒されて上開口１８の蓋がなされる。
【００３９】
本実施形態においては、便器外郭８の下部中央部が台座６に中央連結部９で接続された場合、台座６の下部に床面への設置を安定させるため接地部２７を突出する必要があるが、前方に突出した接地部２７が踵乗せ部５を構成して部材の共通化が図れる。
【００４０】
また、本実施形態では、台座６の下部に床面への設置を安定させるため接地部２７のうち後方に向けて突出した接地部２７に容器蓋受け部３０が設けてあることで、図３に示すように容器蓋２４を取り外した際の支持ができる。
【００４１】
したがって、本実施形態では、台座６の下部に床面への設置を安定させるため接地部２７が踵４を乗せる部材（踵乗せ部５）、容器蓋２４を受ける部材（容器蓋受け部３０）を共用するため、構成がよりいっそう簡略化できる。
【００４２】
また、台座６の前部に前方に向けて突出する接地部２７を形成するに当たっては、図１のように台座６の前部の左右にそれぞれ前方に向けて接地部２７を突出してもよい。このように台座６の前部の左右に前方に向けて接地部２７を突出すると、左右両側の接地部２７間に凹部３１が形成されることになる。
【００４３】
この場合、左右両側の前方に突出した踵乗せ部５となる接地部２７の突出長さ及び突出位置は、利用者が用便のために便座３に座った状態で、踵乗せ部５上に利用者の左右両側の足の踵４が自然と位置するような突出長さ及び突出位置に設定される。
【００４４】
そして、両踵乗せ部５間に凹部３１を形成することで、利用者が便座３に座る際、あるいは便座３から降りる際、あるいは介助者が介助する際に、接地部２７に邪魔されることなく、前記動作ができる。
【００４５】
前記実施形態は、中央連結部９に高さ調整機構２９を備えて高さ調整自在とした例を示したが、中央連結部９は高さ調整ができないものであってもよい。
【００４６】
また、前記実施形態は、便器本体２として、便器外郭８の下部中央部のみが台座６に中央連結部９で接続された実施形態で示したが、必ずしも、これにのみ限定されるものではない。
【００４７】
例えば、便器本体２は、便器外郭８の下部に複数の脚部３２を垂下して構成されたものであってもよい。
【００４８】
例えば、図４には便器外郭８の下部の左右にそれぞれ脚部３２を垂下することで便器本体２を構成した例が示されている。この実施形態においては、左右の脚部３２の下部の前部から前方に踵乗せ部５が突設されている。
【００４９】
また、図５には便器外郭８の下部の前部の左右及び後部の左右にそれぞれ脚部３２を垂下することで便器本体２を構成した例を示している。この実施形態においては、前部左右の脚部３２の下部の前部から前方に踵乗せ部５が突設されている。
【００５０】
これら図４、図５の各実施形態においても、前述の実施形態と同様、利用者が便座３に座った状態で、左右の踵４を左右の踵乗せ部５に乗せることで、便意が促される。
【符号の説明】
【００５１】
１  床
２  便器本体
３  便座
４  踵
５  踵乗せ部
６  台座
７  汚物受け
８  便器外郭
９  中央連結部
１０  傾斜面
【図１】
0005537452.tif 000002
【図２】
0005537452.tif 000003
【図３】
0005537452.tif 000004
【図４】
0005537452.tif 000005
【図５】
0005537452.tif 000006